(57)【要約】【課題】複数の弾性フックでピボットをベースに連結するチルト・スイベル台座において、ピボットが弾性フックから外れてしまうといった事態が起きない構造を提供する。【解決手段】チルト・スイベル台座１はベース１０とピボット２０を有し、ベース１０の凹球面１１がピボット２０の凸球面２１を受ける。凹球面１１の中央部には爪１４が互いに外を向くように弾性フック１３が複数立設される。弾性フック１３をピボットの貫通穴２２に通した後、弾性フック１３に抜け止めリング３０を係合させる。抜け止めリング３０を弾性フック１３に係合させた後、抜け止めリング３０を水平面内で回動させると、抜け止めリング３０に形成されたストッパ３５が弾性フック１３の裏側に回り込み、弾性フック１３が凹球面１１の中心側にたわむのを阻止する。【選択図】図４
2008139726.tif 000002
【特許請求の範囲】
【請求項１】
支持面に載置されるベースの凹球面が、機器を支持するピボットの凸球面を受けるチルト・スイベル台座であって、前記ベースの凹球面中央部に爪が互いに外を向くように立設された複数の弾性フックを前記ピボットの貫通穴に通した後、この弾性フックにピボットの抜け止めリングを係合させるものにおいて、
前記抜け止めリングには、前記弾性フックへの係合後、抜け止めリングを水平面内で回動させると弾性フックの裏側に回り込み、弾性フックが凹球面中心側にたわむのを阻止するストッパが設けられているとともに、弾性フックとストッパの間に凹凸係合構造が形成されていることを特徴とするチルト・スイベル台座。
【請求項２】
支持面に載置されるベースの凹球面が、機器を支持するピボットの凸球面を受けるチルト・スイベル台座であって、前記ベースの凹球面中央部に爪が互いに外を向くように立設された複数の弾性フックを前記ピボットの貫通穴に通した後、この弾性フックにピボットの抜け止めリングを係合させるものにおいて、
前記抜け止めリングには、前記弾性フックへの係合後、抜け止めリングを水平面内で回動させると弾性フックの裏側に回り込み、弾性フックが凹球面中心側にたわむのを阻止するストッパが設けられていることを特徴とするチルト・スイベル台座。
【請求項３】
前記弾性フックとストッパの間に凹凸係合構造が形成されていることを特徴とする請求項２に記載のチルト・スイベル台座。
【発明の詳細な説明】
【技術分野】
【０００１】
本発明は、プロジェクタ等を支持するのに用いられるチルト・スイベル台座に関する。
【背景技術】
【０００２】
プロジェクタのように傾きと水平方向の角度を変える必要が生じる電子機器には、しばしばチルト・スイベル台座が組み合わせられる。チルト・スイベル台座の一般的な構造は、支持面に載置されるベースの凹球面に、機器を支持するピボットの凸球面を受けさせる、というものである。言うまでもなく、ベースとピボットは外れないように連結される。チルト・スイベル台座の構造例を特許文献１、２に見ることができる。またチルト・スイベル台座を備えたプロジェクタの例を特許文献３に見ることができる。
【特許文献１】特開平１０−２２４０４５号公報
【特許文献２】実公平７−１５１９７号公報
【特許文献３】特開２００４−１３８７４５号公報
【発明の開示】
【発明が解決しようとする課題】
【０００３】
チルト・スイベル台座のベースとピボットを連結する仕組みとして、ベースの凹球面中央部に爪が互いに外を向くように複数の弾性フックを形成し、この弾性フックをピボットの貫通穴に通した後、ピボットの抜け止めリングを弾性フックに係合させる、というものがある。この仕組みは構造が簡単であり、組立作業の生産性も高いが、機器を装着した状態で少し高いところから落下させたとき、ピボットが弾性フックから外れてしまうおそれがあった。
【０００４】
本発明は上記の点に鑑みなされたものであり、複数の弾性フックでピボットをベースに連結するチルト・スイベル台座において、ピボットが弾性フックから外れてしまうといった事態が起きない構造を提供することを目的とする。
【課題を解決するための手段】
【０００５】
上記目的を達成するために、請求項１の発明は、支持面に載置されるベースの凹球面が、機器を支持するピボットの凸球面を受けるチルト・スイベル台座であって、前記ベースの凹球面中央部に爪が互いに外を向くように立設された複数の弾性フックを前記ピボットの貫通穴に通した後、この弾性フックにピボットの抜け止めリングを係合させるものにおいて、前記抜け止めリングには、前記弾性フックへの係合後、抜け止めリングを水平面内で回動させると弾性フックの裏側に回り込み、弾性フックが凹球面中心側にたわむのを阻止するストッパが設けられているとともに、弾性フックとストッパの間に凹凸係合構造が形成されていることを特徴としている。
【０００６】
この構成によると、抜け止めリングを弾性フックに係合させた後、抜け止めリングをひねってストッパを弾性フックの裏側に回りこませることにより、弾性フックは凹球面中心側にたわまなくなる。すなわち抜け止めリングが弾性フックから外れ、さらにはピボットが弾性フックから外れることが防止される。またストッパを弾性フックの裏側に回りこませたうえ、凹凸係合をさせれば、抜け止めリングは所定の力を加えないかぎり元の角度に戻らなくなり、弾性フックからの離脱防止が一層確実になる。
【０００７】
請求項２の発明は、支持面に載置されるベースの凹球面が、機器を支持するピボットの凸球面を受けるチルト・スイベル台座であって、前記ベースの凹球面中央部に爪が互いに外を向くように立設された複数の弾性フックを前記ピボットの貫通穴に通した後、この弾性フックにピボットの抜け止めリングを係合させるものにおいて、前記抜け止めリングには、前記弾性フックへの係合後、抜け止めリングを水平面内で回動させると弾性フックの裏側に回り込み、弾性フックが凹球面中心側にたわむのを阻止するストッパが設けられていることを特徴としている。
【０００８】
この構成によると、抜け止めリングを弾性フックに係合させた後、抜け止めリングをひねってストッパを弾性フックの裏側に回りこませることにより、弾性フックは凹球面中心側にたわまなくなる。すなわち抜け止めリングが弾性フックから外れ、さらにはピボットが弾性フックから外れることが防止される。
【０００９】
請求項３の発明は、請求項２に記載のチルト・スイベル台座において、前記弾性フックとストッパの間に凹凸係合構造が形成されていることを特徴としている。
【００１０】
この構成によると、ストッパを弾性フックの裏側に回りこませたうえ、凹凸係合をさせれば、抜け止めリングは所定の力を加えないかぎり元の角度に戻らなくなり、弾性フックからの離脱防止が一層確実になる。
【発明の効果】
【００１１】
本発明によると、チルト・スイベル台座のベースとピボットを道具無しで簡単に組み立てられ、それでいて組立後のベースとピボットの連結は容易に外れることのない確実なものとすることができる。
【発明を実施するための最良の形態】
【００１２】
以下、図１−５に基づき本発明の実施形態を説明する。図１はプロジェクタを支持したチルト・スイベル台座の垂直断面図、図２は弾性フックをピボットの貫通穴に通した状態の上面図、図３は抜け止めリングを弾性フックに係合させた状態の上面図、図４は弾性フックに係合させた抜け止めリングを水平面内で回動させた状態の上面図、図５は凹凸係合構造を示す部分拡大断面図である。
【００１３】
図１にはチルト・スイベル台座１がプロジェクタＰを支持している状態が描かれている。チルト・スイベル台座１の主な構成要素はベース１０、ピボット２０、及び抜け止めリング３０である。プロジェクタＰは図示しないねじでピボット２０に固定される。
【００１４】
ベース１０は机の上などの支持面に載置されるものであり、上面中央には凹球面１１が形成されている。凹球面１１の中央部には高さの低い円柱形のピボットリブ１２が形成される。ピボットリブ１２の中で１８０°離れた箇所には、上端の片側に爪１４を有する弾性フック１３が、爪１４が互いに外を向くように立設されている。爪１４の下面とピボットリブ１２の上面の間には、抜け止めリング３０を受け入れられるだけの間隔が存在する。ベース１０は合成樹脂製で、これにピボットリブ１２と弾性フック１３が一体成形される。
【００１５】
ピボット２０の下面は凹球面１１の曲率にマッチする曲率の凸球面２１になっている。ピボット２０の中央部にはピボットリブ１２を通す貫通穴２２がある。貫通穴２２は長円形であり、このため貫通穴２２とピボットリブ１２の間は貫通穴２２の長軸方向に遊びが生じる。この遊びによってピボット２０はチルト可能になる。また言うまでもないが、ピボット２０はピボットリブ１２を中心として水平面内で回転自在である。
【００１６】
ベース１０の凹球面１１にピボット２０の凸球面２１を重ねると、ピボットリブ１２及び弾性フック１３が貫通穴２２を通り抜け、ピボット２０の底面の上に突き出す。こうしておいて弾性フック１３に上方から抜け止めリング３０をかぶせる。弾性フック１３は一旦凹球面１１の中心側にたわんで抜け止めリング３０の下降を許した後、抜け止めリング３０の上面が爪１４の下面より下のレベルに達すると元の姿勢に復元する。これにより爪１４の下面が抜け止めリング３０の上面に係合し、ピボット２０は上方に抜け出さなくなる。
【００１７】
抜け止めリング３０は弾性フック１３を囲む内リング３１の外側に外リング３２を有する。内リング３１と外リング３２は薄肉のウェブ及び放射状に配置した複数のリブにより連結される。外リング３２の両側には平坦面３３が形成される。これは、抜け止めリング３０を指で挟んでひねることができるようにするためである。
【００１８】
内リング３１の内部にはリング中心を通るビーム３４が形成される。ビーム３４はピボットリブ１２の上面に差し渡され、ピボットリブ１２の上面で支持される。ビーム３４には棒状のストッパ３５が一体形成される。ストッパ３５は内リング３１の中心においてビーム３４と斜めに交わるものであり、その長さは弾性フック１３の対向面同士の間隔にほぼ等しい。
【００１９】
図２のようにピボット２０をピボットリブ１２にかぶせた後、図３のように抜け止めリング３０をはめ込む。この際、ストッパ３５が弾性フック１３に合致しない位置で抜け止めリング３０を弾性フック１３に係合させたる。その後、図４のように抜け止めリング３０をひねり、ストッパ３５を弾性フック１３の裏側に回り込ませる。これにより、弾性フック１３が凹球面１１の中心側にたわもうとしても、その動きはストッパ３５にくい止められ、たわむことができなくなる。その結果、抜け止めリング３０が弾性フック１３から外れることが防止され、さらにはピボット２０が弾性フック１３から外れることが防止される。
【００２０】
弾性フック１３からストッパ３５が外れないよう、弾性フック１３とストッパ３５の間には凹凸係合構造３６が形成される。凹凸係合構造の一例を図５に示す。ストッパ３５の端面には平面形状三角形の凸部３５ａが形成され、弾性フック１３の裏面には平面形状三角形の凹部１３ａが形成されている。ストッパ３５が弾性フック１３の裏側に回り込み、凸部３５ａが凹部１３ａに係合すれば、抜け止めリング３０から指を離しても抜け止めリング３０は容易なことでは回動しなくなる。
【００２１】
凹凸係合構造３６は図６のようなものであってもよい。ここではストッパ３５の端面に平面形状半円形の凸部３５ａを形成し、弾性フック１３の裏面には平面形状半円形の凹部１３ａを形成したものである。
【００２２】
本実施形態では弾性フック１３の数を１対すなわち２本としたが、その数に制限はない。３本、４本といった構成も可能である。要は、弾性フック１３にストッパ３５を組み合わせられすればよい。
【００２３】
以上本発明の実施形態につき説明したが、発明の主旨を逸脱しない範囲でさらに種々の変更を加えて実施することができる。
【産業上の利用可能性】
【００２４】
本発明はプロジェクタ等を支持するチルト・スイベル台座に利用可能である。
【図面の簡単な説明】
【００２５】
【図１】プロジェクタを支持したチルト・スイベル台座の垂直断面図
【図２】弾性フックをピボットの貫通穴に通した状態の上面図
【図３】抜け止めリングを弾性フックに係合させた状態の上面図
【図４】弾性フックに係合させた抜け止めリングを水平面内で回動させた状態の上面図
【図５】凹凸係合構造を示す部分拡大断面図
【図６】凹凸係合構造の他例を示す部分拡大断面図
【符号の説明】
【００２６】
Ｐ    プロジェクタ
１    チルト・スイベル台座
１０  ベース
１１  凹球面
１２  ピボットリブ
１３  弾性フック
２０  ピボット
２１  凸球面
２２  貫通穴
３０  抜け止めリング
３５  ストッパ
３６  凹凸係合構造
【図１】
2008139726.tif 000003
【図２】
2008139726.tif 000004
【図３】
2008139726.tif 000005
【図４】
2008139726.tif 000006
【図５】
2008139726.tif 000007
【図６】
2008139726.tif 000008